(57)【要約】【課題】小型化してもアンテナの高い受信感度を得ることができるフェライトループアンテナを提供すること。【解決手段】フェライトループアンテナ１０は、直方体のフェライトコア１２と、このフェライトコア１２の周囲のうち最も広い断面積を有する外周面１２ａを覆い両端部が一対の電極部１４とされる銅製の金属板１６とを備え、同調回路部１８と電極部１４の両端部で接続して配設されている。金属板１６は、フェライトコア１２の外周面１２ａの幅よりも幅広に形成されており、ＦＭ波を受信するループアンテナ部として、外周面１２ａに導電性接着剤によって密着状態にほぼ１周して配設されている。また、電極部１４が、フェライトコア１２の外周面の鉛直外方に向かって折り曲げられて形成されている構成とした。【選択図】      図１
2005026841.tif 000002
【特許請求の範囲】
【請求項１】
直方体のフェライトコアと、該フェライトコアの周囲を覆い両端部が一対の電極部とされる金属板とを備えて電波を受信するフェライトループアンテナであって、
前記金属板が、前記フェライトコアの周囲のうち最も広い断面積を有する外周面を囲んで配設されていることを特徴とするフェライトループアンテナ。
【請求項２】
前記金属板の両端部に、コンデンサが接続されて設けられていることを特徴とする請求項１に記載のフェライトループアンテナ。
【請求項３】
前記金属板が、前記フェライトコアの外周面の幅よりも幅広であることを特徴とする請求項１又は２に記載のフェライトループアンテナ。
【請求項４】
前記金属板の両端部が、前記フェライトコアの外周面の鉛直外方に向かって折り曲げられていることを特徴とする請求項１から３の何れかに記載のフェライトループアンテナ。
【請求項５】
前記フェライトコアと前記金属板とを内部に収納するケース内に設けられたケース側凹部又はケース側凸部に対し、これらに係合されるアンテナ側凸部又はアンテナ側凹部が、前記金属板及び前記フェライトコアの少なくとも一方の外表面に設けられていることを特徴とする請求項１から４の何れかに記載のフェライトループアンテナ。
【請求項６】
前記電波がＦＭ波であることを特徴とする請求項１から５の何れかに記載のフェライトループアンテナ。
【発明の詳細な説明】
【０００１】
【発明の属する技術分野】
本発明は、ＦＭ電波等の受信機に用いられるフェライトループアンテナに関する。
【０００２】
【従来の技術】
ラジオ受信機等の受信アンテナとして、フェライトの丸棒に巻線を施してコイルを形成して構成されるフェライトアンテナが用いられている。
近年、この形態によるアンテナの携帯用無線通信装置への搭載や、腕時計等に受信機を設置する提案等への設置検討等がなされている。
その際、このような受信機の使用用途の拡がりにともなって受信機全体の小型化が進められ、その結果、アンテナ等の構成部品に対しても小型化、低コスト化の要求がますます高まってきている。
【０００３】
上記の要求を満たすため、従来のフェライトアンテナは、フェライトコアの平面及び側面を略Ｃ字型金属ケースで覆う構成（例えば、特許文献１参照）、腕時計本体の外周部に金属板でアンテナを巻廻させた構成（例えば、特許文献２参照）等が提案されており、様々な小型化が図られてきた。
【０００４】
【特許文献１】
特開平８−９７６１６号公報（第１図）
【特許文献２】
特開２００２−２７７５６９号公報（第３図、第４図）
【０００５】
【発明が解決しようとする課題】
しかしながら、上記従来のフェライトアンテナにおいては、フェライトコアの平面を金属ケースで覆っているので、必然的に金属ケースで囲まれたアンテナ開口部がフェライトコアの側面と同様の面積となり、受信面積が小さくなってアンテナを小型化するほど受信感度も落ちるという問題があった。
また、フェライトコアの平面に金属ケースが配設されるので、アンテナ全体の厚みが増加してしまい、同様に小型化が困難であった。
【０００６】
本発明は上記事情に鑑みて成されたものであり、小型化してもアンテナの高い受信感度を得ることができるフェライトループアンテナを提供することを目的とする。
【０００７】
【課題を解決するための手段】
本発明は、上記課題を解決するため、以下の手段を採用する。
本発明は、直方体のフェライトコアと、該フェライトコアの周囲を覆い両端部が一対の電極部とされる金属板とを備えて電波を受信するフェライトループアンテナであって、前記金属板が、前記フェライトコアの周囲のうち最も広い断面積を有する外周面を囲んで配設されていることを特徴とする。
【０００８】
このフェライトループアンテナによれば、金属板がフェライトコアの最も広い断面積を有する外周面を周回しているので、最も広いアンテナ開口面積を得ることができ、フェライトコアによる磁界の発生効率も高くなって受信感度が高くなる。
【０００９】
本発明は、請求項１記載のフェライトループアンテナにおいて、前記金属板の両端部に、コンデンサが接続されて設けられていることを特徴とする。
【００１０】
このフェライトループアンテナによれば、フェライトコアの側面部側にコンデンサが配設されることになるので、電波受信における同調調整ができるとともに、アンテナ開口部を遮ることなく受信感度の低下を防ぐことができる。
また、アンテナ全体の厚みを増加させないため、薄型化を図ることができる。
【００１１】
本発明は、請求項１又は２に記載のフェライトループアンテナであって、前記金属板が、前記フェライトコアの外周面の幅よりも幅広であることを特徴とする。
【００１２】
このループアンテナによれば、金属板が幅広に形成されているので、金属板の電気抵抗値が小さくなり、高い周波数の電波を受信しても損失を抑制させることができる。
【００１３】
本発明は、請求項１から３の何れかに記載のフェライトループアンテナであって、前記金属板の両端部が、前記フェライトコアの外周面の鉛直外方に向かって折り曲げられていることを特徴とする。
【００１４】
このフェライトループアンテナによれば、金属板の外周面に電波受信のための同調回路を接続することができるので、アンテナ開口部の妨げにならないとともに、アンテナ全体の薄型化を図ることができる。
【００１５】
本発明は、請求項１から４の何れかに記載のフェライトループアンテナであって、前記フェライトコアと前記金属板とを内部に収納するケース内に設けられたケース側凹部又はケース側凸部に対し、これらに係合されるアンテナ側凸部又はアンテナ側凹部が、前記金属板及び前記フェライトコアの少なくとも一方の外表面に設けられていることを特徴とする。
【００１６】
このフェライトループアンテナによれば、アンテナ側凸部とケース側凹部とが、又はアンテナ側凹部とケース側凸部とが互いに係合して位置決めされるので、フェライトコアがケース内部で振動しても位置ずれが抑制される。
【００１７】
本発明は、請求項１から５の何れかに記載のフェライトループアンテナであって、前記電波がＦＭ波であることを特徴とする。
【００１８】
このフェライトループアンテナによれば、ＦＭ波受信に適する材質のフェライトコアを選択することにより、所定の電波帯域のＦＭ波が良好に受信でき、小型のＦＭ受信機を実現することができる。
【００１９】
【発明の実施の形態】
次に、本発明の第１の実施形態について、図１から図３を参照して説明する。
図１及び図２に示すフェライトループアンテナ１０は、直方体のフェライトコア１２と、このフェライトコア１２の周囲のうち最も広い断面積を有する外周面１２ａを覆い両端部が一対の電極部１４とされる銅製の金属板１６とを備え、同調回路部１８と電極部１４の両端部で接続して配設されている。
【００２０】
金属板１６は、フェライトコア１２の外周面１２ａの幅よりも幅広に形成されており、ＦＭ波を受信するループアンテナ部として、外周面１２ａに導電性接着剤によって密着状態にほぼ１周して配設されている。
また、電極部１４が、フェライトコア１２の外周面の鉛直外方に向かって折り曲げられて形成されている。
【００２１】
同調回路部１８は、基板２４と、この基板２４上に形成され電極部１４に半田付けで固定される配線部２４ａと、電極部１４の電極間に配線部２４ａを介して並列に接続されたトリマコンデンサー２６と、配線部２４ａに半田付けで固定され図示しない受信機本体へ接続される１対の端子部２８と、これらの端子部２８間に配線部２４ａを介して並列に接続された固定コンデンサ３０とから構成されている。基板２４は、矩形状のプリント配線基板であって電極部１４の底面部分に半田付けされている。
【００２２】
次に、以上の構成からなる本実施形態のフェライトループアンテナ１０によるＦＭ波の受信方法について説明する。
図１に示すように、金属板１６が、フェライトコア１２の最も広い断面積を有する外周面１２ａを周回しているので、フェライトコア１２の最も表面積の大きい面である平面１２ｂが、このフェライトループアンテナ１０のアンテナ開口面となる。
【００２３】
上記アンテナ開口面となる平面１２ｂで例えば１００ＭＨｚの周波数を有するＦＭ波を受信する。すると、金属板１６が形成するループ内に磁界が生じ、これに伴う誘導電流が金属板１６に流れる。このとき、金属板１６内部にはフェライトコア１２が配設されているので、このフェライトコア１２が磁心となって磁界密度が高められる。
【００２４】
金属板１６は幅広に形成されているので、金属板１６における電気抵抗値は小さく抑えられる。そこで、電極部１４間に損失の少ない高周波電流が流れる。
上記電流は、金属板１６によるループアンテナのインダクタンスと同調回路部１８のコンデンサキャパシタンスとによって同調されて、図示しない受信機本体へと流れる。
【００２５】
このフェライトループアンテナ１０によれば、アンテナを小型化してもアンテナ開口部は従来に比べて大きく確保できるので、アンテナ配置スペースの制約が厳しい場合であっても、高い受信性能を維持した設置ができる。
【００２６】
なお、このフェライトループアンテナ１０をケース内に収納して設置する場合、図３に示すように、例えばケース３２内にケース側凹部３２ａを設け、上記幅広に形成されフェライトコア１２よりも突出した金属板１６の側端部１６ａ（アンテナ側凸部）をケース側凹部３２ａに係合するように設け、これらを互いに係合してフェライトループアンテナ１０を収納する。
このようにすることによって、振動等によってケース３２内のフェライトループアンテナ１０に位置ずれを生ずることが抑制される。
【００２７】
次に、本発明の第２の実施形態について、図４を参照して説明する。
なお、以下の説明において、上記実施形態において説明した構成要素には同一符号を付し、その説明は省略する。
【００２８】
第２の実施形態と上記第１の実施形態との異なる点は、第１の実施形態では、幅広に形成された金属板１６の側端部１６ｂとケース３２に形成されたケース側凹部３２ａとを係合させて位置決めを行っているのに対し、第２実施形態のフェライトループアンテナ１００では、金属板１１６が外周面１２ａの鉛直外方に向けて突出したアンテナ側凸部１１６ａを有し、これに係合されるケース側凹部１３２ａがケース１３２に設けられている点である。
【００２９】
すなわち、本実施形態では、フェライトコア１２の外周面１２ａにおいて、互いに係合するアンテナ側凸部１１６ａとケース側凹部１３２ａとによる位置決めがなされる。そのため、第１の実施形態と同様に振動等による位置ずれが抑制される。
【００３０】
なお、本発明の技術範囲は上記実施の形態に限定されるものではなく、本発明の趣旨を逸脱しない範囲において種々の変更を加えることが可能である。
例えば、上記各実施形態では、アンテナ側凸部とケース側凹部とを互いに係合して位置決めが行われているが、アンテナ側に凹部を設け、ケース側にこれに係合する凸部を設けて互いに係合して位置決めを行うとしても構わない。
【００３１】
また、上記各実施形態においては、直方体のフェライトコアを用いているが、平板状の形状でも構わない。
さらに、上記各実施形態においては、金属板の両端部に基板上の固定コンデンサ及びトリマコンデンサが接続されているが、コンデンサはこれらに限らず、金属板の両端部に接続されたＬＳＩ等の集積回路内に構成されるコンデンサに接続されるものとしても構わない。
そして、上記フェライトコアと金属板とは導電性接着剤によって密着状態にされているが、高周波用ニス、両面テープ等のその他の固定手段によって又は単にフェライトコアを保持するように金属板を周回させても構わない。
【００３２】
【発明の効果】
以上説明した本発明のフェライトループアンテナにおいては、以下の効果を奏する。
本発明によれば、小型化しても広いアンテナ開口面積を得ることができるので、磁界の高い発生効率により高い受信感度を得ることができる。
【００３３】
また、本発明によれば、金属板の両端部がフェライトコア外周面の鉛直外方に向かって折り曲げられているので、この外周面側に他の回路等を配設することができフェライトループアンテナ全体の薄型化が可能となる。これによって、薄型化が要求される受信機本体に好適なフェライトループアンテナを提供することが可能となる。
【００３４】
さらに、本発明によれば、ケース側と係合される部分のフェライトループアンテナ側に凹部又は凸部が形成されるので、ケース内におけるフェライトループアンテナの位置ずれが抑制され、振動等に強い製品を得ることができる。
【図面の簡単な説明】
【図１】本発明の第１の実施形態におけるフェライトループアンテナの全体を示す斜視図である。
【図２】本発明の第１の実施形態におけるフェライトループアンテナを示す平面図である。
【図３】本発明の第１の実施形態におけるフェライトループアンテナがケース内に収納された状態を示す断面図である。
【図４】本発明の第２の実施形態におけるフェライトループアンテナがケース内に収納された状態を示す金属板に沿った方向の要部断面図である。
【符号の説明】
１０、１００  フェライトループアンテナ
１２  フェライトコア
１２ａ  外周面
１４  電極部
１６、１１６  金属板
１６ａ、１１６ａ  側端部アンテナ側凸部
３２ａ、１３２ａ  ケース側凹部
２６  トリマコンデンサ（コンデンサ）
３０  固定コンデンサ（コンデンサ）
【図１】
2005026841.tif 000003
【図２】
2005026841.tif 000004
【図３】
2005026841.tif 000005
【図４】
2005026841.tif 000006